Podtech/llm-jp-corpus-v4-ja_patent huggingface dataset:
(57)【要約】      （修正有）【課題】印刷面にも研磨効果を付与することを目的とした研磨具の提供。【解決手段】ベース板上に、発泡合成樹脂板を重ね、発泡合成樹脂板上へ合成樹脂接着剤又はゴムと研磨材との混合物よりなる研磨層を設け、研磨層上へ研磨材を混入したインクにより、文字と図形の一方又は両方を印刷した研磨具により、目的を達成した。【選択図】図１
0003129952.tif 000002
【実用新案登録請求の範囲】
【請求項１】
ベース板上に、発泡合成樹脂板を重ね、該発泡合成樹脂板上へ合成樹脂接着剤又はゴムと研磨材との混合物よりなる研磨層を設け、該研磨層上へ研磨材を混入したインクにより、文字と図形の一方又は両方を印刷したことを特徴とする研磨具。
【請求項２】
インクに混入する研磨材の粒度は、７００〜８０００メッシュとしたことを特徴とする請求項１記載の研磨具。
【請求項３】
ベース板を厚さ１．５ｍｍ〜２ｍｍの塩化ビニール板、ポリプロピレン板又はこれらの低発泡板としたことを特徴とする請求項１記載の研磨具。
【請求項４】
合成樹脂接着剤又はゴムと研磨材との割合は、研磨材を３０％〜５０％（重量）としたことを特徴とする請求項１記載の研磨具。
【請求項５】
合成樹脂発泡体は、厚さ２ｍｍ〜１５ｍｍのポリエチレン発泡体としたことを特徴とする請求項１記載の研磨具。
【考案の詳細な説明】
【技術分野】
【０００１】
この考案は、研磨面に文字、図形などの印刷が見えるようにした爪磨き用の研磨具に関する。
【背景技術】
【０００２】
従来印刷が見えるようにする為に、最上面に印刷しているが、印刷面では研磨能力がない。
【０００３】
またベース上に印刷し、その上に透明研磨層を設けて、研磨能力を保ちつつ、印刷の文字、図形などが見えるようにしてあった。
【特許文献１】実用新案登録第３０５１６２５号
【考案の開示】
【考案が解決しようとする課題】
【０００４】
前記従来の技術によれば、研磨具の表面へ印刷すると、印刷部分に研磨能力がないのみならず、研磨材の粒子が大きい為に（例えば７００メッシュより大きい）印刷面も粗になる問題点があった。そこでベースに印刷し、その上に透明研磨層を設けると、印刷が良く見えるのみならず、研磨能力も十分になる利点があった。
【０００５】
然し乍ら研磨材の粒度が小さくなると（例えば７００メッシュ〜８０００メッシュ）、研磨材の透明性が一気に低下する問題点があった。
【０００６】
また研磨材の表面に印刷すると、印刷部の研磨能力がなくなる問題点があった。
【課題を解決するための手段】
【０００７】
この考案は、研磨材の粒度が７００メッシュ以上（小さいこと）の場合には、ベースに印刷することなく、研磨材の表面へ、研磨材入りインクで印刷することにより、前記従来の問題点を解決したのである。
【０００８】
即ちこの考案は、ベース板上に、発泡合成樹脂板を重ね、該発泡合成樹脂板上へ合成樹脂接着剤又はゴムと研磨材との混合物よりなる研磨層を設け、該研磨層上へ研磨材を混入したインクにより、文字と図形の一方又は両方を印刷したことを特徴とする研磨具であり、インクに混入する研磨材の粒度は、７００〜８０００メッシュとしたものである。
【０００９】
また他の考案は、ベース板を厚さ１．５ｍｍ〜２ｍｍの塩化ビニール板、ＰＰ板又はこれらの低発泡板としたものであり、合成樹脂接着剤又はゴムと研磨材との割合は、研磨材を３０％〜５０％（重量）としたものであり、合成樹脂発泡体は、厚さ２ｍｍ〜１５ｍｍのポリエチレン発泡体としたものである。
【００１０】
前記考案において、研磨材の粒度７００メッシュ〜２５００メッシュは中仕上げ研磨具である。また研磨材の粒度２５００メッシュ〜８０００メッシュは、上仕上げ粒度であり、何れも不透明であるから、ベース板上へ印刷し、その上へ前記粒度の研磨材層を設けた場合には、印刷した文字、図形などは見ることはできない。因に粒度が７００メッシュ未満の場合には、透明である。
【００１１】
前記考案によれば、インクに研磨材を混入（２０％〜４０％）するので、文字、図形の印刷部にも研磨効果を期待することができる。前記研磨材を混入したインクは、適宜の溶剤で、その濃度、粒度を調節することができる。
【００１２】
然して中仕上げ及び上仕上げの研磨材の粒度は７００メッシュ〜８０００メッシュであって、印刷面は比較的平滑であるから、鮮明な文字又は図形の印刷を期待することができる。
【考案の効果】
【００１３】
この考案によれば、比較的良好な状態の文字、図形であるに拘わらず、研磨効果を期待することができる効果がある。
【００１４】
また従来印刷面では研磨できなかったが、この考案によれば、他と区別することなく、研磨できる効果がある。換言すれば、印刷面も通常の研磨面と同様であって普通の印刷による文字、図形を有する研磨具を提供できる効果がある。
【考案を実施するための最良の形態】
【００１５】
この考案は、ベース板上へ発泡合成樹脂による弾性層を設けると共に、該弾性層上へ研磨層を設け、研磨層の上に研磨材入りインクで文字又は図形を印刷して構成した研磨具である。
【００１６】
前記考案によれば、文字又は図形の部分においても研磨できるので、文字、図形があるに拘わらず、通常の研磨具と同等の研磨効果がある。
【実施例１】
【００１７】
この考案の実施例を図１に基づいて説明すると、厚さ１．５ｍｍの塩化ビニール板１の上面へ、厚さ６ｍｍの発泡ポリエチレン板２を層着し、該発泡ポリエチレン板２の上面へ、合成樹脂接着剤と、１５００メッシュの研磨材との混合（研磨材４０％）したものにより研磨材層３に層着する。前記研磨材層３の上面へ、インクと１５００メッシュの研磨材との混合物（例えば研磨材３０％〜４５％（重量））により、図形４を印刷して、この考案の研磨具５を得た。図１中（ａ）は平面矩形状の研磨具５であり、（ｃ）はハート状の研磨具６であるが、形状に限定なく、平面形状は円形、リング状、角形その他自由に成形することができる。前記実施例の研磨具５、６は、中仕上げ用として、１５００メッシュの研磨材を用いたが、上仕上げの場合には２５００メッシュ以上の細粒の研磨材を用いる。
【００１８】
前記によれば良好な印刷図であるに拘わらず、中仕上げ又は上仕上げの研磨効果を期待できる。前記実施例では、ベース板を塩化ビニール板としたが、他の合成樹脂板、例えばＰＰ板、又は塩化ビニール或いはＰＰの低発泡板を用いることができる。
【００１９】
次の他の実施例は、低発泡塩化ビニール板１ａの上下に発泡ポリエチレン板２、２を重ね合わせ、前記発泡ポリエチレン板２、２の上下部に、研磨材層３、３を設け、その外側に図形４、４を印刷して研磨具５を構成したものである。
【００２０】
前記において、研磨具５の厚さは、例えば発泡ポリエチレン板２、２の厚さを調節し、全体の厚さを任意に定めることができる。
【図面の簡単な説明】
【００２１】
【図１】（ａ）この考案の実施例の平面図、（ｂ）同じく（ａ）中Ａ−Ａ断面拡大図、（ｃ）同じく他の実施例の斜視図、（ｄ）同じく他の実施例の断面拡大図。
【符号の説明】
【００２２】
１  塩化ビニール板
２  発泡ポリエチレン板
３  研磨材層
４  図形
５、６  研磨具
【図１】
0003129952.tif 000003
(57)【要約】【課題】ヒューズ装置に備える二つの金属ターミナル端により、ヒューズ線の両端を覆い、瞬間電流と圧力をもって、両者の接合面を完全に融合させる結合構造、確実な連結と電流導通の安定性を有し、高品質のヒューズ製品の提供を図る。【解決手段】本考案は一種のヒューズ線結合構造に関わるものである。主にヒューズ装置に備える二つの金属ターミナル端により、ヒューズ線の両端を覆い、瞬間電流と圧力をもって、両者の接合面を完全に融合させる結合構造、確実な連結と電流導通の安定性を有し、高品質のヒューズ製品の提供を図る。【選択図】図１
0003129990.tif 000002
【実用新案登録請求の範囲】
【請求項１】
結合台、２本の貫通したヒューズ線を含み、その一端はターミナル端を設け、ヒューズ線の両端にそれぞれ覆い、外部は蓋体によって密封されて、ターミナルとヒューズ線との間に備える錫層は、二つのターミナル端をヒューズ線の両端に満遍なく分布し、隙間を残さないことを特徴とするヒューズ線結合構造。
【考案の詳細な説明】
【技術分野】
【０００１】
本考案はヒューズ装置に関わるものである。主にヒューズ装置内部のターミナル端とヒューズ線と完全に融合する構造により、ヒューズ装置の安全効果を実現する。
【背景技術】
【０００２】
通常、電子製品に使用するヒューズ装置の構造は図１、２に示すとおり主に、結合台１に２本の貫通した金属線２を有する。そのうちの一端を短く設けて、ターミナル端２１として、ヒューズ線３の両端と結合する。その外部に蓋体４を被せておく、２本の金属線２の外部端２２は電気回路板に取り付ける。
【０００３】
ヒューズ線３を金属線２のターミナル端２１確実に一体化結合するため、公知技術には、二つのターミナル端２１をヒューズ線３の両端に絡めて覆い、図３、図５に示す通り、両者を固定した上、錫５を外側から両者の間に浸透させ、冷却後固着させる。図４、６に示す構造は、ヒューズ線３とターミナル端２１とは一定程度の結合力を有する。しかしながら、図７に示す通り、錫５は局部的に浸透することにより、両者を結合している。この種のヒューズ装置を使用するとき、電流の流れに不安定を生じる。その主因は、ヒューズ線３とターミナル端２１との間は完全な密着状態でないため、ヒューズ装置の焼損又は電子製品を破損させる。
【考案の開示】
【考案が解決しようとする課題】
【０００４】
前記した公知技術の欠点を改良し、該ヒューズ装置と金属線のターミナル端は完全な密着構造により、電流導通の安定性を確保し、ヒューズ線の安全を発揮する一種のヒューズ線の結合改良構造を提供することを本考案の主な目的とする。
【０００５】
図８から図１２に示す通り、本考案は主にヒューズ線の結合台１、２本の金属線２及び１本のヒューズ線３を含まれる。そのうち、ヒューズ線３の両端は２本の金属線２に備えるターミナル端２１より覆われる。本考案の特徴は該ターミナル端２１に均一な錫層６によって、ヒューズ線３の表面を完全に覆う。
【課題を解決するための手段】
【０００６】
請求項１の考案は、結合台、２本の貫通したヒューズ線を含み、その一端はターミナル端を設け、ヒューズ線の両端にそれぞれ覆い、外部は蓋体によって密封されて、ターミナルとヒューズ線との間に備える錫層は、二つのターミナル端をヒューズ線の両端に満遍なく分布し、隙間を残さないことを特徴とするヒューズ線結合構造としている。
【考案の効果】
【０００７】
本考案のヒューズ線結合構造は、該ヒューズ装置と金属線のターミナル端は完全な密着構造により、電流導通の安定性を確保し、ヒューズ線の安全を発揮する。
【考案を実施するための最良の形態】
【０００８】
ヒューズ線３はターミナル端２１によって、絡めて覆われるとき、ターミナル端２１の内層はあらかじめに薄い錫層に覆われている。上下両端に瞬間電流と高圧を掛けて、図１１に示すとおり、高温と圧力により、錫を溶解させた上、ターミナル端２１とその内部のヒューズ線３を同時に圧迫することにより、緊密に結合する。冷却後は図１２に示す製品を仕上がる。なお、錫層６はターミナル端２１とヒューズ線３との間に、隙間を残さず完全に融合しているため、最適な結合性を実現し、電流導通のとき、高効率、かつ、高安定性機能を提供できる。
【０００９】
これにより、本考案のヒューズ装置を電子製品に取り付けたとき、最高な安全効果を確保し、装置全体の安全性を向上できる。
【図面の簡単な説明】
【００１０】
【図１】ヒューズ装置の分解立体図である。
【図２】図１の組立図である。
【図３】公知技術のヒューズ装置の構造分解図である。
【図４】図３の組立図である。
【図５】図１の局所拡大平面図である。
【図６】図４の局所拡大平面図である。
【図７】図６の断面図である。
【図８】本考案のヒューズ装置の構造分解図である。
【図９】図８の組立図である。
【図１０】図１の局所拡大平面図である。
【図１１】図９の局所拡大平面図である。
【図１２】図１１の断面図である。
【符号の説明】
【００１１】
１  結合台
２  金属線
２１  ターミナル端
２２  外部端
３  ヒューズ線
４  蓋部材
５  錫
６  錫層
【図１】
0003129990.tif 000003
【図２】
0003129990.tif 000004
【図３】
0003129990.tif 000005
【図４】
0003129990.tif 000006
【図５】
0003129990.tif 000007
【図６】
0003129990.tif 000008
【図７】
0003129990.tif 000009
【図８】
0003129990.tif 000010
【図９】
0003129990.tif 000011
【図１０】
0003129990.tif 000012
【図１１】
0003129990.tif 000013
【図１２】
0003129990.tif 000014
(57)【要約】【課題】建築や道路などの工事現場で用いるネットフェンスの大きな機材や作業車などに対する通過性を改善すること。【解決手段】それぞれが金属などの硬質材料から形成される平帯状の上桟と下桟と左右１対の横桟とが前面から見て長方形状に端部において一体に連結されており、該長方形状部分には左右１対の扉が側端においてそれぞれの対応する横桟の内側に水平方向に開閉自在に取り付けられており、下桟の左右端部には姿勢保持用の重錘収容方形空間が形成されている。【選択図】図１
0003129902.tif 000002
【実用新案登録請求の範囲】
【請求項１】
それぞれ平帯状の上桟（１）と下桟（３）と左右１対の横桟（５、７）とが前面から見てほぼ長方形状に端部において一体に連結されており、該長方形状部分には左右１対の扉（１１、１３）が側端においてそれぞれの横桟に水平方向に開閉自在に取り付けられており、下桟の両端が上方外方に折曲されて左右の横桟に連結されており、該折曲部分が姿勢安定用重錘を収容する空間を構成していることを特徴とする工事現場用ネットフェンス。
【考案の詳細な説明】
【技術分野】
【０００１】
この考案は工事現場用ネットフェンスに関するものであり、より詳しくは水道・ガス・建築工事現場などを安全などの観点から周囲から遮断するために用いられる工事現場用ネットフェンスの改善に関するものである。
【背景技術】
【０００２】
上記のような工事現場用ネットフェンスは通常金属などの硬質材料から形成されている。構造的にはそれぞれ平帯状の上桟と下桟と左右１対の横桟とが前面から見てほぼ長方形状に端部において一体に連結されている。左右の横桟は下端が下桟より若干下方に突出している。
【０００３】
該長方形状部分は長方形の壁により閉鎖されているか、左右一方の半分は壁により閉鎖され、他方の半分には扉が側端においていずれかの横桟に水平方向に開閉自在に取り付けられている場合もある。また左右横桟の下方に突出した部分には台桟が固定されている。
【０００４】
使用に際しては、必要な場所に直立状に設置してから、台桟中にブロックなどの重錘を挿入して、ネットフェンス全体の直立姿勢を保つようにしている。
【考案の開示】
【考案が解決しようとする課題】
【０００５】
ところが上記のような構造の従来のネットフェンスには２つの問題がある。まず第１に扉が左右の一方にだけに取り付けられ、他方は壁により閉鎖されている。したがって例え扉を開いても寸法の大きな機材は通過することができない。
【０００６】
第２に台桟が左右横桟の下方突出部分下端に固定されているので、下桟が地面から浮き上がった位置にある。したがって下桟が邪魔になり工事車や機材運搬手押し車などが通過することができない。
【０００７】
かかる従来技術の欠点に鑑みて、この考案の目的は工事現場用ネットフェンスの通過性を改善することにある。
【課題を解決するための手段】
【０００８】
このためこの考案にあっては、それぞれ平帯状の上桟と下桟と左右１対の横桟とが前面から見て長方形状に端部において一体に連結され、該長方形状部分には左右１対の扉が側端においてそれぞれの横桟に水平方向に開閉自在に取り付けられ、下桟の両端が上方外方に折曲されて左右の横桟に連結されており、該折曲部分が姿勢安定用重錘を収容する空間を構成していることを要旨とする。  
【考案の効果】
【０００９】
左右の扉を必要により開けることにより大きな機材でも自由に通過できる。また下桟の大部分が地面と同じ高さに位置している（つまり地面から浮き上がっていない）ので、作業車などが自由に通過することができる。
【実施例】
【００１０】
図１に示すのはこの考案のネットフェンスの一実施例である。上桟１と下桟３と横桟５、７とは金属などの硬質材料からなる平帯状の材料から形成されている。これらの桟は前面から見てほぼ長方形状に端部において一体に連結されている。
【００１１】
該長方形状部分には左右１対の扉１１、１３が側端においてそれぞれ対応する横桟に水平方向に開閉自在に取り付けられている。
【００１２】
また下桟３の両端が上方外方に折曲されて左右の横桟５、７に連結されており、該折曲部分が姿勢安定用重錘を収容する方形の空間９を構成している。なお左右の横桟の下端と下桟の下面とは面一になるように関連寸法を設定する。
【００１３】
使用に際しては、ネットフェンスを必要な場所に直立状に設置してから、上記した下桟３の両端に形成された方形の空間９中にブロックなどの重錘を挿入して、ネットフェンス全体の直立姿勢を保つようにする。
【産業上の利用可能性】
【００１４】
建築その他の工事業務において広く利用される。
【図面の簡単な説明】
【００１５】
【図１】この考案のネットフェンスの前面図である。
【符号の説明】
【００１６】
１        ：  上桟
３        ：  下桟
５、７    ：  横桟
９        ：  方形空間
１１、１３：  扉
【図１】
0003129902.tif 000003
(57)【要約】【課題】一枚のサイズを大きくし袋体として手を入れて使用できる構造とし、一枚で広範囲の面を脱落の防止を行いながら拭き取りできることを可能としたウェットティシュを提供すること。【解決手段】不織布その他の生地により、製造された生地を2枚にして２方を閉じて袋体として、これに清浄用の液剤を浸透させ、手を入れて使用することにより、広範囲の面のより楽な拭き取りができる。【選択図】  図１
0003129912.tif 000002
【実用新案登録請求の範囲】
【請求項１】
不織布その他の生地を二つ折りにして２方を閉じて袋体として、液剤を含侵させ
手を入れて使用できることが可能としたウェットティシュ        
【考案の詳細な説明】
【技術分野】
【０００１】
本考案は、ウェットティシュにおいて、袋状として手を入れて使用することができるようにして身体清拭などを行う場合などにおいて、より使いやすくしたウェットティシュに関するものである。
【背景技術】
【０００２】
今までウェットティシュは一枚の液剤を浸透させた不織布等にミシン目を付けロール状として円筒状の容器に納め、使用時にはロールの中心部より容器のふたの部分より引き出し、ミシン目部より切れ離した一枚を丸めて使用していた。
【考案の開示】
【考案が解決しようとする課題】
【０００３】
より拭き取りやすくする為、一枚のサイズを大きくして形状を袋体とすることで
て手を入れることができる構造とし、広範囲の面を脱落の防止を行いながら拭き取りができることを可能とするものである。
【課題を解決するための手段】
【０００４】
不織布その他の生地により、製造された手より大きいサイズの生地を2枚にして２方を閉じて袋体として、これに清浄用の液剤を浸透させ、手を入れて使用できるようにするこれを容器内に複数枚収納しておき必要に応じて取り出し使用する。
【考案の効果】
【０００５】
本案の構造ウェットティシュは袋状であり、その開口部は下面より上面を短くしてあるため、より楽に手を入れることが可能であり、手を入れることで脱落を防止することができるため、最後まで衛生的に使用することが可能である、さらに手を入れた状態で使用できる為、一枚当たりのサイズを大きくでき、厚い材質の生地を用いることで介護等の身体清拭用としてもタオルで拭くのと同等に広範囲の面を楽に拭くことができるまた指先部に力を入れることにより、より細かい部分の拭き取りができ使用後は使い捨てができる為、タオルのような洗濯しての再使用の手間と時間の低減が可能となる。
【０００６】
また袋状の為、裏面を使用した後に袋を１８０度回転させ、拭き取り面の表と裏を換えることで両面が使用でき一枚で多くの面が拭き取り可能である。
【考案を実施するための最良の形態】
【０００７】
不織布その他の生地により、製造された生地を2枚にして２方を縫製または接着などの方法により閉じて袋体とする、このとき開口部は上面を下面より短くして手を入れやすいようにする、これに清浄用の液剤を浸透させ、防水加工された容器に積み重ねて収納する取り出しは容器より一枚ずつ取り出して使用する。
【実施例】
【０００８】
図１は使用状態を示す図であり、袋状の開口部（３）に手を入れて使用する
袋の形状は２つ折にした生地の２方の面を縫製または接着により閉じる（２）
本実施例では図２の形状にしたが、中央部を閉じる方法 図３でもかまわない
使用する場合は、手を入れて使用することもできるが通常のウェットティシュとして丸めて使用することも可能である、防水加工を行った箱またはビニール等の容器蓋付き容器（５）に一枚ずつ入れ、開口部より一枚ずつ取り出して使用する。
本実施例では長方形としたが楕円形、その他の多角形としても良い、大きさも
用途に合わせてサイズを変えて、顔等を拭く場合は指が３本位入る程度の小型サイズのものを使用しても良い
【０００９】
本実施例では他人の身体清拭用とする場合は、薄い手袋をつけて使用することを前程としているが、介護用で他人の身体清拭用とする場合は、感染の防止と薬剤の手への付着を防止する為に内側に防水加工のシートを付けた構造としてもよい。
【産業上の利用可能性】
【００１０】
本考案は、通常のウェットティシュと比較しよりサイズを大きくできる為、顔
手先等などから、介護用など広い範囲での使用ができる。
手を入れて拭くことが可能の為、より使いやすい構造となり体全体を拭くことができ材質を厚くすることで、タオルと同等の用途としての使用が可能であり、タオルと比較して使い捨てができるので感染の防止、洗濯しての使用の手間が大幅に低減できる。
【図面の簡単な説明】
【００１１】
【図１】本考案のウェットティッシュの使用状態を示す斜視図
【図２】本考案のウェットティッシュの斜視図１
【図３】本考案のウェットティッシュの斜視図２
【図４】容器に収納した平面図
【図５】容器よりの取り出しを示す斜視図
【符号の説明】
【００１２】
(１)  液剤を含浸したウェットティッシュ
（液剤は図示せず）
(２)  縫製部
(３)  開口部
(４)  手
(５)  収納容器
【図１】
0003129912.tif 000003
【図２】
0003129912.tif 000004
【図３】
0003129912.tif 000005
【図４】
0003129912.tif 000006
【図５】
0003129912.tif 000007
(57)【要約】      （修正有）【課題】強度の優れたベルト駆動式自転車のフレーム構造を提供する。【解決手段】シートチューブ１０、チェーンステイ１１、ラグ１２およびシートステイ１５からなるフレーム１００で、シートチューブ、チェーンステイおよびシートステイは、溶接されて一体となる。ラグは凸座１３および穿孔１４を有し、シートステイの端部のもう一方は穿孔１６を有する。ボルト１７が穿孔１４、１６を通ることにより、ラグとシートステイが固定され、溶接による結合ではない。ラグとシートステイとを分解して、歯付きベルトをその間から通して装着した後、再度固定する。これにより、三角フレームは歯付きベルトを重複して装着したり、取り外したりできるようになった。【選択図】図１
0003129979.tif 000002
【実用新案登録請求の範囲】
【請求項１】
シートチューブ、チェーンステイ、ラグおよびシートステイからなるフレームを備えるベルト駆動式自転車のフレーム構造であって、
前記シートチューブ、前記チェーンステイおよび前記シートステイの端部の一方は溶接されて一体となり、前記ラグと前記チェーンステイの端部の一方は溶接されて一体となって、
前記ラグは穿孔を有し、前記シートステイの端部のもう一方は穿孔を有し、ボルトが穿孔を通ることにより、前記ラグと前記シートステイとが固定され、前記ラグと前記シートステイとが接続する部分から歯付きベルトを通して装着させることを特徴とするベルト駆動式自転車のフレーム構造。
【請求項２】
前記ラグおよび前記シートステイは溶接されて一体となり、前記シートステイは２つの部分に分けられ、分けられた前記シートステイは前記穿孔を有し、前記ボルトにより固定されることを特徴とする請求項１に記載のベルト駆動式自転車のフレーム構造。
【考案の詳細な説明】
【技術分野】
【０００１】
本考案は、ベルト駆動式自転車のフレーム構造に関し、特にシートチューブ、チェーンステイ、ラグおよびシートステイからなる三角フレームの取り外しおよび接続を、ラグとシートステイとの間で、重複して行なうことができるように設計し、組立および歯付きベルトの取替に便利なベルト駆動式自転車のフレーム構造に関する。
【背景技術】
【０００２】
従来の三角フレームは、シートチューブ、チェーンステイ、ラグおよびシートステイを溶接して作られ、「固定した形状で、取り外しおよび組立を重複して行なうことができない」構造であった。この三角フレームには「チェーン」駆動が提供される。分断されたチェーンはチェーンステイおよびシートステイの間を通された後、両方の端部を再び連結させることができるからである。図２は本考案の一実施形態によるベルト駆動式自転車のフレーム構造の使用状態を示す図である。従来の三角フレームは図２に示すように、「歯付きベルト、駆動プーリおよび従動プーリ」を用いる駆動構造を用いることができなかった。歯付きベルトは分断して再び連結させることができないからである。歯付きベルトは従来技術の溶接されて一体となったチェーンステイおよびシートステイの間を通すことができないため、従来の三角フレームは歯付きベルトを用いることができなかった。そのため、従来のベルト駆動式のフレームはチェーンステイを有するが、シートステイを持たない逆L字形のフレームに設計され、フレーム強度が劣ってしまうという問題点があった。
【考案の開示】
【考案が解決しようとする課題】
【０００３】
本考案の目的は、シートチューブ、チェーンステイ、ラグおよびシートステイからなるフレームの強度が優れたベルト駆動式自転車のフレーム構造を提供することにある。
【課題を解決するための手段】
【０００４】
上述の目的を達成するため、本考案はベルト駆動式自転車のフレーム構造を提供する。本考案のベルト駆動式自転車のフレーム構造は、シートチューブ、チェーンステイ、ラグおよびシートステイからなるフレームで、シートチューブ、チェーンステイおよびシートステイは、溶接されて一体となる。ラグは凸座および穿孔を有し、シートステイの端部のもう一方は穿孔を有する。ボルトが穿孔を通ることにより、ラグとシートステイとが固定される。
【考案の効果】
【０００５】
本考案のベルト駆動式自転車のフレーム構造は、ラグおよびシートステイが溶接ではなく、ボルトにより固定されるため、取り外し可能になり、その間から歯付きベルトを通して装着できるようになった。これにより、従来技術では実現できなかった三角フレーム構造が可能になり、フレーム強度を大幅に高めることができた。
【考案を実施するための最良の形態】
【０００６】
以下、本考案の実施形態を図面に基づいて説明する。図２に示すように、本考案のベルト駆動式自転車のフレーム構造は駆動プーリ２０、従動プーリ２１および歯付きベルト２２を備える。図１は本考案の一実施形態によるベルト駆動式自転車のフレーム構造を示す斜視図である。歯付きベルト２２を駆動プーリ２０および従動プーリ２１に装着する場合、図１に示すように、まずラグ１２の凸座１３とシートステイ１５とを切り離し、この切り離した所から歯付きベルト２２を通した後、ボルト１７をシートステイ１５の穿孔１６、ラグ１２の凸座１３の穿孔１４に通して固定し、シートステイ１５とラグ１２とを一つに結合させる。以上のように、本考案は、シートチューブ１０、チェーンステイ１１、ラグ１２およびシートステイ１５により形成されたフレーム１００をベルト駆動式自転車に用いるものである。
【０００７】
図３は本考案の第２の実施形態によるベルト駆動式自転車のフレーム構造を示す斜視図である。図３に示すように、２つに分けられたのシートステイ１５a、１５bはそれぞれ穿孔１５０を有し、やはりボルト１７が穿孔１５０を通すことにより固定される。この構造も歯付きベルト２２を通すことができ、本考案の保護の範囲とする。
【０００８】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【０００９】
【図１】本考案の好適な一実施形態によるベルト駆動式自転車のフレーム構造を示す斜視図である。
【図２】本考案の好適な一実施形態によるベルト駆動式自転車のフレーム構造の使用状態を示す図である。
【図３】本考案の第２の実施形態によるベルト駆動式自転車のフレーム構造を示す斜視図である。
【符号の説明】
【００１０】
１００  フレーム
１０  シートチューブ
１１  チェーンステイ
１２  ラグ
１３  凸座
１４  穿孔
１５  シートステイ
１５a  シートステイ
１５b  シートステイ
１６  穿孔
１７  ボルト
２０  駆動プーリ
２１  従動プーリ
２２  歯付きベルト
１５０  穿孔
【図１】
0003129979.tif 000003
【図２】
0003129979.tif 000004
【図３】
0003129979.tif 000005
(57)【要約】      （修正有）【課題】低価格でざらついたいわゆるＸ線量子ノイズが目立たないＸ線透視撮影装置を提供する。【解決手段】操作者が操作できる位置にピントを調整するつまみを備えた陰極線管方式の表示装置を用い、透視時に操作者がつまみを操作して表示装置のピントをわずかにぼかすことにより、Ｘ線量子ノイズの少ないなめらかな表示画像を得ることができる。【選択図】図１
0003129976.tif 000002
【実用新案登録請求の範囲】
【請求項１】
陰極線管を用いた表示装置を備えたＸ線透視撮影装置において、前記陰極線管の表示画像のピント調整手段を前記表示装置の外表面に設けたことを特徴とするＸ線透視撮影装置。
【考案の詳細な説明】
【技術分野】
【０００１】
本考案はＸ線透視撮影装置に関する。
【背景技術】
【０００２】
Ｘ線透視撮影装置を用いて透視を行う場合、被検者のＸ線被爆の観点からＸ線量をあまり大きくすることができない。そのため透視画像は線量が不足してざらついた、いわゆるＸ線量子ノイズが目立つ画像になることが多く、特に被検者の体厚が厚い場合このことが顕著になる。この問題を解決するため通常図２に示すように画像処理装置５を組み込んだＸ線透視撮影装置が用いられる。
【０００３】
図２においてＸ線制御器８の制御のもとで高電圧発生器７からＸ線管１に高電圧が印加され、Ｘ線管１からＸ線が照射される。被写体２を透過したＸ線は透視画像としてイメージインテンシファイア３に入射して可視像に変換された後、ＴＶカメラ４により電気信号に変換される。透視システムには通常イメージインテンシファイア３の出力面での輝度を一定に保つために、例えばＴＶカメラ４の出力信号を検出してＸ線制御器８にフィードバックする機構が設けられている。このフィードバック機構により被検者の体厚に応じて自動的にＸ線管１に印加される管電圧が上下してＸ線量が変化するが、体厚が厚い場合十分なＸ線量になる前に管電圧がその上限値に達してしまうので、ざらついたいわゆるＸ線量子ノイズが目立つ画像しか得られない。しかしこのような画像でも画像処理装置５内でリカーシブフィルタ処理等が施されて、その残像効果によりＸ線量子ノイズが減少したなめらかな画像としてモニタ６に表示される。
【０００４】
また画像処理装置５においてリカーシブフィルタ処理等の画像処理を行う代わりに、イメージインテンシファイア３の電子レンズの電圧を、透視時のみ電子レンズのピントがわずかにぼけるように変化させる方法により上述の画像処理に類似した効果を得る方法も考案されている（例えば特許文献１参照）。
【特許文献１】特開２０００−１２３７６６号公報
【考案の開示】
【考案が解決しようとする課題】
【０００５】
上記のように透視画像は通常リカーシブフィルタ処理機能を有する画像処理装置や、イメージインテンシファイアの電子レンズの電圧を、透視時と撮影時で切り替える機能を有する電源装置を用いてＸ線量子ノイズが目立たないなめらかな表示画像を得ているが、低価格のＸ線透視撮影装置についてはコスト面からリカーシブフィルタ処理機能を有する画像処理装置や、電子レンズの電圧を透視時と撮影時で切り替える機能を有するイメージインテンシファイアの電源装置を用いることができない場合がある。このような場合Ｘ線量子ノイズが目立たないなめらかな表示画像を得難い。
【課題を解決するための手段】
【０００６】
本考案は上記の目的を達成するために、陰極線管を用いた表示装置を備えたＸ線透視撮影装置において、前記陰極線管の表示画像のピント調整手段を前記表示装置の外表面に設けたＸ線透視撮影装置を提供する。
【考案の効果】
【０００７】
本考案により操作者が容易にさわることができる位置にピント調整手段を備えた陰極線管方式の表示装置を用い、透視時に操作者が操作して表示装置のピントをわずかにぼかすことにより、Ｘ線量子ノイズが目立たないなめらかな表示画像を得ることができる。この方法は従来の方法に比べて安価に実現できるので低価格のＸ線透視撮影装置にも採用できる。
【考案を実施するための最良の形態】
【０００８】
本考案の実施例について図１を用いて説明する。図１においてＸ線制御器８の制御のもとで高電圧発生器７からＸ線管１に高電圧が印加され、Ｘ線管１からＸ線が照射される。被写体２を透過したＸ線は透視画像としてイメージインテンシファイア３に入射して可視像に変換された後、ＴＶカメラ４により電気信号に変換される。透視システムには通常イメージインテンシファイア３出力面での輝度を一定に保つために、例えばＴＶカメラ４の出力信号を検出してＸ線制御器８にフィードバックする機構が設けられている。このフィードバック機構により被検者の体厚に応じて自動的にＸ線管１に印加される管電圧が上下してＸ線量が変化するが、体厚が厚い場合十分なＸ線量になる前に管電圧がその上限値に達してしまうので、ざらついたいわゆるＸ線量子ノイズが目立つ画像しか得られない。そして画像処理装置１１がリカーシブフィルタ等のノイズ低減機能を有しない安価なものである場合、ざらついた画像がそのままモニタ１０に出力され表示される。ただし本考案によりモニタ１０は陰極線管により構成され、その前面パネルには陰極線管の電子ビームの太さを調節し、表示画像のピントを調整するためのピント調整用つまみ１０Ａが取り付けられているので、透視時に操作者がピント調整用つまみ１０Ａを操作して表示画像のピントをわずかにぼかすことにより、Ｘ線量子ノイズが目立たないなめらかな表示画像を得ることができる。
【０００９】
上記実施例において陰極線管の表示画像のピント調整手段としてピント調整用つまみ１０Ａを例示したが、つまみの代わりに押しボタンやレバーを用いてピント調整操作を行えるようにしてもよく、特につまみに限定するものではない。
【００１０】
上記実施例において陰極線管の表示画像のピント調整手段をモニタ１０の前面パネルに取り付けたが、操作者が操作しやすい位置であれば上面、側面等、装置のどの外表面に取り付けてもよい。
【００１１】
上記実施例においてＸ線受光部をイメージインテンシファイア３とＴＶカメラ４により構成したが、フラットパネル型検出器により構成してもよい。
【産業上の利用可能性】
【００１２】
本考案はＸ線透視撮影装置に関する。
【図面の簡単な説明】
【００１３】
【図１】本考案の実施例を説明するための図である。
【図２】従来のＸ線透視撮影装置について説明するための図である。
【符号の説明】
【００１４】
１：Ｘ線管
２：被写体
３：イメージインテンシファイア
４：ＴＶカメラ
５：画像処理装置
６：モニタ
７：高電圧発生器
８：Ｘ線制御器
１０：モニタ
１０Ａ：ピント調整用つまみ
１１：画像処理装置
【図１】
0003129976.tif 000003
【図２】
0003129976.tif 000004
(57)【要約】      （修正有）【課題】捕球によって甲部層が地面に激しくぶつかる時による衝撃力を大幅に緩和して、使用者に捕球の快適感を与える上、手を、痛みや運動傷害から保護すると共に、グローブの使用寿命を向上させることもできる野球用グローブを提供する。【解決手段】手掌部２４と指部２５とを有する手の形状に、該手掌部の末端に手を入れる開口２６が形成され、その表面で捕球をする捕球層と、その裏面が該捕球層の裏面と対面して使用者の手の甲を覆って保護する甲部層２３とから接合されてなった野球用グローブ２において、前記甲部層の表面には、複数の補強リブ３が該表面から突出するように形成してある。【選択図】図２
0003129992.tif 000002
【実用新案登録請求の範囲】
【請求項１】
手掌部と指部とを有する手の形状に、該手掌部の末端に手を入れる開口が形成され、その表面で捕球をする捕球層と、その裏面が該捕球層の裏面と対面して使用者の手の甲を覆って保護する甲部層とから接合されてなった野球用グローブにおいて、
前記甲部層の表面には、複数の補強リブが該表面から突出するように形成してあることを特徴とする野球用グローブ。
【請求項２】
前記指部は、親指、人差し指、中指、薬指及び小指を有する上、前記複数の補強リブは、前記甲部層の前記各指にそれぞれ対応する個所に前記各指の長手方向に沿って一本ずつ伸びていることを特徴とする請求項１に記載の野球用グローブ。
【請求項３】
前記複数の補強リブは、いずれも、前記甲部層自体の裏面から表面へと突出するようになっていることを特徴とする請求項１または２に記載の野球用グローブ。
【請求項４】
前記甲部層の、前記複数の補強リブとなった部分は、いずれも、その周縁に沿って縫われ、形が固定されていることを特徴とする請求項３に記載の野球用グローブ。
【考案の詳細な説明】
【技術分野】
【０００１】
本考案は、野球で捕球をするために使用される野球用グローブに関する。
【背景技術】
【０００２】
従来の野球用グローブは、五指型であれ二指型であれ、通常は、図４に示すように、手掌部１４と指部１５とを有する手の形状に、該手掌部１４の末端に手を入れる開口１３が形成され、その表面で捕球をする捕球層１１と、その裏面が該捕球層１１の裏面と対面して使用者の手の甲を覆って保護する甲部層１２とから接合されてなったものである。
【０００３】
ところで、ボールを捕球する際に、時々甲部層１２が地面に激しくぶつかるため、その衝撃力が大きくて直接使用者の手に伝わり痛めたり痺れさせたりし、運動傷害を与える恐れがある。また、地面との衝突によって甲部層１２、ひいてはグローブ全体が傷んでしまい、使用寿命を短くさせてしまう問題点が存在している。
【考案の開示】
【考案が解決しようとする課題】
【０００４】
本考案は、前記問題点に鑑みてなされたものであり、即ち、捕球の際甲部層で地面に激しくぶつかる時に生じる衝撃力を大幅に緩和して使用者に捕球の快適感を与える上、手を、痛みや運動傷害から保護すると共に、グローブの使用寿命を向上させることもできる野球用グローブを提供することを目的とする。
【課題を解決するための手段】
【０００５】
前記目的を達成するために、本考案は、手掌部と指部とを有する手の形状に、該手掌部の末端に手を入れる開口が形成され、その表面で捕球をする捕球層と、その裏面が該捕球層の裏面と対面して使用者の手の甲を覆って保護する甲部層とから接合されてなった野球用グローブにおいて、前記甲部層の表面には、複数の補強リブが該表面から突出するように形成してあることを特徴とする野球用グローブを提供する。
【考案の効果】
【０００６】
前記構成による野球用グローブにより、ボールを捕球して甲部層が地面に激しくぶつかる時に、まず甲部層の表面における複数の補強リブがその衝撃力を分散させ緩和するので、使用者に捕球の快適感を与える上、手を、痛みや運動傷害から保護する効果を果たすと共に、甲部層に対する損傷を抑制してグローブの使用寿命を長くさせることもできる。
【考案を実施するための最良の形態】
【０００７】
以下、図面を参照しながら本考案の実施形態を説明する。
五指型のものを例として本考案にかかる一実施形態の野球用グローブを説明する。図１は、この実施形態の野球用グローブの捕球層側から見た斜視図である。図２は、前記実施形態の野球用グローブの甲部層側から見た斜視図である。図３は、前記実施形態の野球用グローブの側面から見た側面図である。
【０００８】
この実施形態の野球用グローブ２は、図１と図２に示すように、手掌部２４と、親指、人差し指、中指、薬指及び小指の五指を備えた指部２５とを有する手の形状に、該手掌部２４の末端に手を入れる開口２６が形成され、その表面で捕球をする捕球層２１と、その裏面が該捕球層２１の裏面と対面して使用者の手の甲を覆って保護する甲部層２３とから接合されてなったものである。
【０００９】
また、図２と図３に示すように、甲部層２３の表面には、５本の補強リブ３がエンボス加工により甲部層２３自体の裏面から表面へと突出するように形成してある。５本の補強リブ３は、甲部層２３の前記５指の各指にそれぞれ対応する個所に該当の指に沿ってほぼ指先から手掌部２４までに伸びるように一本ずつ配置されている。
更に、甲部層２３の、５本の補強リブ３となった部分は、いずれも、その周縁に沿って縫われ、形が固定されている（図２と図３における細かい点線で示す縫い目３１参照）。縫い方により、例えば補強リブ３となった部分の周縁に沿いながら、縫い糸が該周縁の両側を跨っている縫い目になれば、補強リブ３の形の固定だけでなく、構造の強化をも達成することができる。
【００１０】
なお、本考案は前述実施形態に限定されるものではなく、本考案の要旨を逸脱しない範囲において種々の変形が可能である。例えば、補強リブの長さや本数、位置、形状など、または、二指型であれば、甲部層表面における、親指（第１指）の他に、人差し指と、中指と、薬指と、小指とが一体的になった第２指の対応部分に、補強リブが変化的に配置されても良い。
【産業上の利用可能性】
【００１１】
以上、実施形態で詳細に説明したように、本考案の野球用グローブによれば、捕球の際、甲部層が地面に激しくぶつかる時に生じる衝撃力を大幅に緩和して使用者に捕球の快適感を与える上、手を、痛みや運動傷害から保護すると共に、グローブの使用寿命を向上させることもできる。
【図面の簡単な説明】
【００１２】
【図１】本考案にかかる一実施形態の野球用グローブの捕球層側から見た斜視図。
【図２】前記実施形態の野球用グローブの甲部層側から見た斜視図。
【図３】前記実施形態の野球用グローブの側面から見た側面図。
【図４】従来の野球用グローブの一例の甲部層側から見た斜視図。
【符号の説明】
【００１３】
２      野球用グローブ
２１    捕球層
２３    甲部層
２４    手掌部
２５    指部
２６    開口
３      補強リブ
３１    縫い目
【図１】
0003129992.tif 000003
【図２】
0003129992.tif 000004
【図３】
0003129992.tif 000005
【図４】
0003129992.tif 000006
(57)【要約】【課題】本考案はヤスリ本体が手のひらの中に収まり、擦る時の力が楽に入り、自由に動かし使用出来るものとする。【解決手段】本考案はヤスリ本体を小型にし、ゴムバンドを貼り付ける事により、手からはなれず使用を楽にする事に役立ちます。【選択図】図１
0003129388.tif 000002
【実用新案登録請求の範囲】
【請求項１】
ヤスリ本体にゴムバンドを取り付け、形も手の中に入る大きさにし、バンドをひっくり返す事により目の荒さのちがうヤスリを選んでアカを落とす事が出来、又  ゴムがある為に指を入れて使い、手の中にフィットし、素手の感触で汚れを落とす、特徴とする、携帯バンド付やスリです。
【考案の詳細な説明】
【技術分野】
【０１】ヤスリ本体を小さくしてゴムを取り付けた物です
【背景技術】
【０２】従来あるものは、手で握って、使用する、大きめか、長めの物もしくは、かる石で厚みのある四角い物のため、使いやすくした、
【考案の開示】
【考案が解決しようとする課題】
【０３】ヤスリ本体を薄く小さくし、お出かけ用にもバックの中へ嵩張らずに持ち運び便利で、使いよくしました。
【課題を解決するための手段】
【０４】手で握ったり持ったりしないで、素手でこする感じの物が出来ればと、ヤスリ本体にゴムを取り付けました、アカを落とす力の負担を、和らげる用にしました。
【考案の効果】
【０５】上述の様に、本考案の携帯バンド付ヤスリは、ゴムバンドを取り付ける事により、バンドをひっくり返して両面使えて、名をかつ荒目と細目２通りにしました。さらに右手、左手自在に使える事も出来ます。
【考案を実施するための最良の形態】
【０６】ヤスリ本体とゴムの間に指を人によって２本、３本入れて足のかかと等を、こすって、アカを落とします。両面ヤスリなのでゴムの中の指もスベらず、手の中にフィトして、自在に使用できる。
【図面の簡単な説明】
【０７】
【図１】本体考案の形態バンド付やすりを示す正面図
【図２】ヤスリを使用の際の図
【符号の説明】
【０８】▲１▼本体ヤスリ
▲２▼耐水性ヤスリ・両面
▲３▼ゴムバンド
【図１】
0003129388.tif 000003
【図２】
0003129388.tif 000004
(57)【要約】【課題】  電子レンジで加熱した物が熱くなりすぎても、容易に取り扱えるように電子レンジで熱くなりにくい紙を利用した電子レンジ用の補助トレーを提供する。【解決手段】  厚紙使用のトレー１  を持ち手部の付いた不織布２  でトレーの裏側から覆って貼り合わせたことを特徴とする。加熱のしすぎで厚紙使用のトレー本体まで熱くなっても取り出すことが出来るのは不織布の持ち手である。【選択図】図１
0003129389.tif 000002
【実用新案登録請求の範囲】
【請求項１】
厚紙で出来たトレーに、持ち手部の付いた不織布をトレーの裏全体から覆って貼り合わせた電子レンジ用補助トレー。
【考案の詳細な説明】
【技術分野】
【０００１】  この考案は、電子レンジで加熱された食品や食品入り容器の取り扱いを容易にする、電子レンジ用補助トレーの仕様に関するものである。
【背景技術】
【０００２】  従来では電子レンジの既存トレーに食品や食品入り容器を直接置いて加熱したため、熱くなりすぎてしまった物は厚手の鍋つかみで取り出していた。
【考案の開示】
【考案が解決しようとする課題】
【０００３】  以上の方法によれば、厚い鍋つかみでは手の感覚が鈍いため余分な力を掛けてしまい、持っている状態が不安定で落としそうになったりした。そこで、この考案は加熱する食品や食品入りの容器の取り扱いが容易に出来る補助トレーの提供を課題とする。
【課題を解決するための手段】
【０００４】  以上の課題を解決する為に、電子レンジの加熱であまり熱くならない紙の性質を利用して、形をしっかりさせるための厚紙と薄くて強い不織布とを貼り合わせて補助トレーにした。
【考案の効果】
【０００５】  補助トレーの上に食品や食品入り容器を載せて加熱しても、補助トレーだけは鍋つかみ不要で素手で持てる状態なので小さな子供も安心して取り出すことができ、火傷の心配や誤って落としてしまうことも少なくなり動作も機敏になる。
【考案を実施するための最良の形態】
【０００６】  この考案の一実施形態を図１〜図２に示す。
厚紙使用のトレーに持ち手部を有した不織布をトレーの裏全体から覆ったことを特徴とする。
【実施例】
【０００７】  この実施形態によれば長時間の加熱で厚紙使用のトレーが熱くなっても、薄くて丈夫な不織布の持ち手は薄いため熱くならないので取り出しは容易である。
【産業上の利用可能性】
【図面の簡単な説明】
【０００８】
【図１】本考案の斜視図である。
【図２】本考案のＡ−Ａ’の断面図である。
【符号の説明】
【０００９】１  厚紙使用のトレー本体
２  持ち手部のついた不織布
【図１】
0003129389.tif 000003
【図２】
0003129389.tif 000004
(57)【要約】      （修正有）【課題】高齢者や障害者にとっても使いやすいクリップを提供する。【解決手段】ゼムクリップの内周の半円形部分を、形成された外周、内周を含む平面に対し、上方へ反らせるように曲げて、自らゼムクリップを開かなくても書類などを挟むことができるようにした。【選択図】図１
0003129383.tif 000002
【実用新案登録請求の範囲】
【請求項１】
針金を所定形状に曲げて形成したゼムクリップの内周の半円形部分を、形成された外周、内周を含む平面に対し、上方へ反らせるように曲げたユニバーサルクリップ
【考案の詳細な説明】
【考案の詳細な説明】
現在、または将来にわたり高齢化社会がますます進み、容易い方法でことをなそうとする試みが盛んである。また、障害者にも優しい商品の開発がなされ、ユニバーサル商品として世に出回っている。このような状況をふまえて開発した物が本考案物である。
従来のゼムクリップは書類などを閉じるとき、形成された外周と内周の間に挟み込むため、その間を開かなければならない。細かい作業となるので、高齢者や障害者にとっては非常に煩わしい作業となる。本考案物は、この点を改良したものである。すなわち、内周の半円形部分が、上方に反り返っているため形成された外周と、内周の間が最初から開いているため、わざわざ自ら開くことなしに書類などを閉じることができる。
内周を反らせる加工において、側面図の２のように、下方への出っ張りが、あると、挟む力が強くなる効果を生むことにもなる。
内周の反り上がりは、あまり大きいとかさばってしまうので、考慮する必要がある。
【図面の簡単な説明】  １  内周の半円形部分の先端    ２  反らせる加工をやった結果できる出っ張り
３  外周の半円形部分          ４、５内周の半円形部分
【図１】
0003129383.tif 000003
【手続補正書】
【提出日】平成18年12月7日(2006.12.7)
【手続補正１】
【補正対象書類名】明細書
【補正対象項目名】全文
【補正方法】変更
【補正の内容】
【考案の詳細な説明】
【考案の詳細な説明】
【０００１】  現在、または将来にわたり高齢化社会がますます進み、容易い方法でことをなそうとする試みが盛んである。また、障害者にも優しい商品の開発がなされ、ユニバーサル商品として世に出回っている。このような状況をふまえて開発した物が本考案物である。
従来のゼムクリップは書類などを閉じるとき、形成された外周と内周の間に挟み込むため、その間を開かなければならない。細かい作業となるので、高齢者や障害者にとっては非常に煩わしい作業となる。本考案物は、この点を改良したものである。すなわち、内周の半円形部分が、上方に反り返っているため形成された外周と、内周の間が最初から開いているため、わざわざ自ら開くことなしに書類などを閉じることができる。
内周を反らせる加工において、側面図の２のように、下方への出っ張りが、あると、挟む力が強くなる効果を生むことにもなる。
内周の反り上がりは、あまり大きいとかさばってしまうので、考慮する必要がある。
【図面の簡単な説明】
【０００２】
【図１】平面図
【図２】側面図
【符号の説明】
【０００３】  １  内周の半円形部分の先端
２  反らせる加工をやった結果できる出っ張り
３  外周の半円形部分
４、５  内周の半円形部分
【手続補正２】
【補正対象書類名】図面
【補正対象項目名】全図
【補正方法】変更
【補正の内容】
【図１】
0003129383.tif 000004
【図２】
0003129383.tif 000005
(57)【要約】【課題】  従来のゴミ入れボックスは直接生ゴミ等を入れるとボックスが汚れ洗う面倒がある。ゴミをボックスから取り出す時、チリ等が散らかる場合がある。ボックスに買い物袋等を入れて使用できるが、その端がボックスからはみ出て見栄えが悪い。その端を隠す物もあるが買い物袋等の装着が面倒だ。それらの欠点を除くのが目的です。【解決手段】  従来のゴミ入れボックスは上からゴミを入れ底からゴミを取り出すボックスが主流であるが、本案は逆の発想で買い物袋等を利用しゴミをボックスの底から取り出せる構造にしました。それは買い物袋等を装着する円錐台形型等の底無しボックス本体（１）にその袋を固定させ、その端が隠れるように本体を覆うボックス（２）を重ね合わせたゴミ入れボックスです。この構造により上記の課題は全て解決されました。【選択図】図１
0003129387.tif 000002
【実用新案登録請求の範囲】
【請求項１】
買い物袋等が利用できる円錐台形型等の底無しボックスを二枚重にしたゴミ入れボックス
【考案の詳細な説明】
【考案の詳細な説明】
この考案は買い物袋等が装着できる円錐台形型等のボックス本体（１）に買物袋等を固定し、且つその端が隠れるように本体を覆うボックス（２）を重ね合わせた、買物袋等を利用した底無し・二枚重ねゴミ入れボックスです。
従来のゴミ入れボックスは生ゴミやチリ等を入れると汚れるため、その都度洗う面倒がある。又買い物袋等を装着するとその端が出て見栄えが悪い。中にはその端を隠す物もあるが、装着が面倒で使用しにくい欠点がある。
本案はその欠点を除くために考案したものです。それを図面で説明すれば、ゴミ入れ底無しボックス本体（１）とその本体を覆うボックス（２）を組み合わせて使用する仕組みとなっています。ボックス本体（１）と本体を覆うボックス（２）の型は形状・サイズとも全く同じ物で構成されます。そのボックスの形状は円錐・三角錐・四角錐等様々な設計ができます。なかでも買い物袋等の形状や装着し易さから判断し、円錐台形型が理想と言えます。ボックスのサイズも様々考えられるが、一般的に出回っている買い物袋等の大きさや容量から判断し、高さ約２２ｃｍ・上部の直径約１４ｃｍ・底部の直径約２１ｃｍや高さ約３０ｃｍ・上部の直径約１８ｃｍ・底部の直径約２７ｃｍ等が理想と言えます。ボックスの材質はポリプロピレンやワイヤー編みや厚紙等が考えられます。
この考案により買い物袋等の有効利用やゴミを散らかすことなく袋ごと簡単に処理が可能となりました。更にはボックスを汚すこと無く使用でき、又ボックスの買い物袋等の端が本体を覆うボックスで隠れるため見栄えが良くなり、インテリアとしての価値が高くなりました。尚、それぞれのボックスの上部に蓋をつけると買い物袋等を使わずそのままゴミ入れボックスとしても使用ができす。
【図面の簡単な説明】
【図１】    本案の斜視図
【図２】    本案の正面図
【図３】    本案の上面図
【図４】    本案の下面図
【図５】    本案のゴミ入れ袋の装着及び取り出し手順
【符号の説明】
（１）ゴミ入れボックス本体  （２）本体を覆うボックス
【図１】
0003129387.tif 000003
【図２】
0003129387.tif 000004
【図３】
0003129387.tif 000005
【図４】
0003129387.tif 000006
【図５】
0003129387.tif 000007